【事件の表示】
　特願２０１２−９２２４６号「遊技機」拒絶査定不服審判事件〔平成２４年８月１６日出願公開、特開２０１２−１５２５９３号〕について、次のとおり審決する。
【結　論】
　本件審判の請求は、成り立たない。
【理　由】
１　手続の経緯の概要
　本願は、平成１５年３月１９日に出願した特願２０１０−２４６７２４号の一部を平成２４年４月１３日に新たな特許出願（特願２０１２−９２２４６号）としたものであって、平成２５年８月７日付けで拒絶の理由が通知され、同年１０月４日に意見書及び手続補正書が提出され、同年１０月２２日付けで拒絶の理由が通知され、同年１２月１８日に意見書及び手続補正書が提出されたところ、平成２６年１月１０日付けで拒絶査定がなされ（発送日：同年１月２１日）、それに対し、同年４月１０日に拒絶査定不服審判の請求がなされると同時に手続補正書が提出され、当審にてさらに、平成２７年３月２４日付けで拒絶理由を通知したところ、同年４月１５日に意見書及び手続補正書が提出されたものである。
　
２　本願発明
　平成２６年４月１０日付けの手続補正書及び平成２７年４月１５日付けの手続補正書は、特許請求の範囲についての補正がなされていないため、本願の請求項１に係る発明（以下「本願発明」という。）は、平成２５年１２月１８日付け手続補正書により補正された特許請求の範囲の請求項１に記載された事項により特定される次のとおりのものである。
「図柄を表示する図柄表示部と、
　始動検出信号を入力することにより、遊技状態を特定遊技状態に移行するか否かを決定する抽選を行う抽選手段と、
　前記抽選手段による抽選結果に基づき、前記図柄表示部に演出表示を行うための図柄の第１変動パターンを指定する主制御基板と、
　前記主制御基板から受信した前記第１変動パターンに基づいて、第２変動パターンの抽選を実行し、変動過程を設定する変動過程抽選設定手段と、
　前記変動過程抽選設定手段によって設定された変動過程を用いて前記図柄表示部に図柄の変動を表示させる遊技図柄提供手段と、
　を備え、
　前記遊技図柄提供手段は、
　　前記変動過程による演出表示後に前記抽選結果を示す停止図柄を、抽選によって決定する停止図柄抽選手段と、
　　前記第１変動パターンが前記特定遊技状態に移行しない変動パターンであるにもかかわらず、前記特定遊技状態に移行する前記停止図柄を抽選している場合、前記停止図柄を外れに変更する停止図柄変更手段と、
　を備えることを特徴とする遊技機。」
　
３　先願明細書等
　原査定の拒絶の理由で引用された、本願の出願の日前の他の特許出願であって、その出願後に出願公開がされた特願２００２−１４７３５１号（特開２００３−３４００４５号公報参照。以下「先願」という。）の願書に最初に添付した明細書又は図面（以下「先願明細書等」という。）には、「遊技機」に関して次の事項が図面とともに記載されている。
　
　ア　【特許請求の範囲】
【請求項１】  
複数種類の識別情報を可変表示可能な
可変表示装置
前記遊技機の遊技の進行を制御する遊技制御手段と、
該遊技制御手段とは別に設けられ、当該遊技制御手段からのコマンドに基づいて前記可変表示装置における可変表示を制御する表示制御手段とを含み、
該表示制御手段は、前記遊技制御手段からのコマンドに基づいて可変表示を行なうときに、リーチ状態を発生させる組合せ有効ライン数を独自に決定するリーチライン数決定手段を含み、該リーチライン数決定手段により決定されたライン数の組合せ有効ライン上でリーチ状態を発生させる制御を行なうことを特徴とする、
遊技機
　
　イ　「【０００１】【発明の属する技術分野】本発明は、パチンコ遊技機、コイン遊技機、スロットマシンなどで代表される遊技機に関する。詳しくは、複数種類の識別情報を可変表示可能な可変表示部を複数有するとともに、複数の組合せ有効ラインが定められた可変表示装置を有し、該可変表示装置に導出表示された識別情報の表示結果が前記組合せ有効ライン上で予め定められた特定表示結果となったときに遊技者にとって有利な特定遊技状態に制御可能となる遊技機に関する。」
　
　ウ　「【０００５】【発明が解決しようとする課題】しかし、従来では、リーチライン数を含む可変表示制御の制御事項が遊技制御手段側で決定されていたので、遊技制御手段側の制御負担が過大となり、次のような弊害が生じていた。制御用のプログラム量が多くなるために、遊技制御手段が実行するプログラムに不正行為がなされても、そのような不正行為が発見しにくくなるとともに、そのような不正行為を発見する際の検査作業が複雑化する。さらに、制御用のプログラム量が多くなるために、遊技制御手段の制御回路が複雑化するために、不正行為がなされても、そのような不正行為が発見しにくくなるとともに、そのような不正行為を発見する際の検査作業が複雑化する。
【０００６】さらに、従来の場合には、可変表示パターンを示す各コマンドごとにリーチライン数が固定的に定められていたため、可変表示パターンとリーチライン数との関係が固定的であるため、可変表示のバリエーションが乏しかった。
【０００７】この発明はかかる実情に鑑み考え出されたものであり、その目的は、複数の組合せ有効ライン上でリーチ状態を発生させることが可能である遊技機において、遊技制御手段側の制御負担を軽減するとともに、可変表示のバリエーションを多様化することである。
【０００８】
【課題を解決するための手段の具体例およびその効果】（１） 
 複数種類の識別情報を可変表示可能な可変表示部を複数（左図柄表示部９ｂ，中図柄表示部９ａ，右図柄表示部９ｃ）有する
可変表示装置（可変表示装置８）を有し
　
　エ　「【００８１】大当りとするかはずれとするかの決定は、大当り決定用のランダムカウンタのカウント値を用いて行なわれる。このランダムカウンタは、大当りを発生させるか否かをランダムに決定するためのものであり、たとえば、０からカウントアップして所定の上限値までカウントアップした後再度０からカウントアップし直す数値データ更新手段である。このカウント動作は、所定周期（２ｍｓｅｃごと）で１ずつ加算されることとなる。
始動口スイッチ１７により始動入賞が検出されると、それに応じてこのランダムカウンタのカウント値が抽出され、その後、その抽出値が、予め定められた大当り判定値と一致するか否かの判断がなされる
大当り状態の制御が行なわれる
【００８２】次に、
可変表示がはずれとなる場合においてリーチ状態とするか否かの決定（リーチ判定ともいう）
【００８３】また、特別図柄の
可変表示においてリーチ状態となる決定がされた場合（大当りとする決定が行なわれた場合と、はずれとする決定が行なわれた場合との両方を含む）には、リーチ状態の変動パターンが複数種類の変動パターンのうちから選択的に決定
される
【００８４】また、大当りとすることが決定された場合において確率変動状態とするか否かの決定（確率変動判定）は、確率変動決定用のランダムカウンタのカウント値を用いて行なわれる。このランダムカウンタは、確率変動状態とするか否かをランダムに決定するためのものであって、大当り決定用のランダムカウンタと同様に機能する数値データ更新手段である。大当りとする決定がされた場合には、所定のタイミングで確率変動決定用のランダムカウンタからカウント値が抽出され、その後、その抽出値が、予め定められた確率変動判定値と一致するか否かの判断がなされる。抽出されたランダムカウンタの値と確率変動判定値とが一致した場合は、確率変動状態を発生させることが決定され、大当り遊技状態の終了後、確率変動状態の制御が行なわれる。
【００８５】このパチンコ遊技機においては、
遊技制御用マイクロコンピュータ５３により、このような各種ランダムカウンタを用いて制御内容が決定され、その決定に従って、遊技制御が実行される
　
　オ　「【００９０】次に、変動パターンコマンドについて説明する。図１０は、変動パターンコマンドのコマンドデータ（ＭＯＤＥデータ、ＥＸＴデータ）とコマンド内容とを表形式で示す図である。
【００９１】図１０を参照して、
変動パターンコマンドでは
通常変動パターン（８１００Ｈ）、および、第１リーチ変動パターン（８１０１Ｈ）〜第３リーチ変動パターン（８１０３Ｈ）という複数の変動パターンのうちのいずれかにするかが指定される
【００９２】ここで、
通常変動パターンは、リーチ状態が生じない変動パターンであり
第１〜第３リーチ変動パターンは、リーチ状態が生じる変動パターンであって、はずれとなる場合と大当りとなる場合とのどちらの場合でも選択され得る
【００９３】このような変動パターンコマンドが送信されることにより、可変表示における変動パターン（変動時間を含む）を指定可能である。」
　
　カ　「【００９８】表示制御用マイクロコンピュータ８００では、前述したような各種表示制御コマンドを受信した場合に、そのコマンドにより指定される表示制御を実行する制御を行なう。たとえば、変動開始コマンドとしての
変動パターンコマンドを受信すると
変動パターンコマンドによりリーチ変動が指定された場合には、表示制御用マイクロコンピュータ８００側でリーチラインの本数が選択決定され
【００９９】また、
大当り図柄が表示される有効ラインである大当りライン、リーチライン、および、左図柄表示部９ｂ，中図柄表示部９ａ，右図柄表示部９ａの停止図柄等の所定の制御内容が、表示制御用マイクロコンピュータ８００により決定されるようになっており、その決定と、遊技機制御用マイクロコンピュータ５３からのコマンドとに基づいて、表示制御用マイクロコンピュータ８００による可変表示制御が行なわれる
【０１００】このように表示制御用マイクロコンピュータ８００の側で表示制御が実行されているときに、遊技制御用マイクロコンピュータ５３では、可変表示の時間管理を行ない、表示制御用マイクロコンピュータ８００の側での表示制御の実行状態を把握する。これにより、遊技制御用マイクロコンピュータ５３の側では、実行する遊技制御と表示制御用マイクロコンピュータ８００により実行される表示制御とで制御タイミングに食違いが生じないように制御内容を管理する。
【０１０１】次に、表示制御用マイクロコンピュータ８００での制御に用いられる各種ランダムカウンタを説明する。図１１は、表示制御用マイクロコンピュータ８００の制御に用いられる乱数を生成するための各種ランダムカウンタを表形式で示す図である。
【０１０２】
ランダムカウンタＲ１は、リーチライン数を決定するために用いられる
【０１０３】
ランダムカウンタＲ２は、大当りを発生させる有効ライン（大当りライン）、または、リーチを発生させる有効ライン（リーチライン）を
決定するために用いられる
【０１０４】有効ラインとランダムカウンタＲ２の数値データとの関係は、次のように複数種類設けられており、有効ラインとランダムカウンタＲ２の数値データとの関係を示す複数種類のデータテーブルが条件に応じて選択的に使用される。つまり、本実施の形態の場合は、Ｒ１の抽出値に基づいてダブルリーチが選択されると、ダブルリーチは有効ラインＬ４，Ｌ５でしか生じないため、Ｒ１の抽出値に基づいてダブルリーチが選択された場合の大当りラインの選択肢は有効ラインＬ４，Ｌ５の２つである。したがって、そのような場合には、ランダムカウンタＲ２が取り得る範囲の数値データが有効ラインＬ４，Ｌ５の２ラインのみに割振られているデータが設定されたデータテーブルが使用される。
【０１０５】一方、Ｒ１の抽出値に基づいてシングルリーチが選択されると、シングルリーチは有効ラインＬ１〜Ｌ３のいずれかのライン上で生じ得るため、Ｒ１の抽出値に基づいてシングルリーチが選択された場合の大当りラインまたはリーチラインの選択肢は有効ラインＬ１〜Ｌ３の３つである。そのような場合には、ランダムカウンタＲ２が取り得る範囲の数値データが有効ラインＬ１〜Ｌ３の３ラインに割振られているデータが設定されたデータテーブルが使用される。このように、有効ラインは、表示制御用マイクロコンピュータ８００においてランダムに決定され得る。なお、表示結果がはずれとなる場合にＲ１の抽出値に基づいてダブルリーチが選択されると、本実施の形態の場合はダブルリーチが有効ラインＬ４，Ｌ５でしか生じないため、Ｒ２の抽出値に基づくリーチラインの選択決定は行なわれない。
【０１０６】なお、図柄の配列態様により、ダブルリーチが複数パターンのリーチラインの組合せで生じ得る場合には、Ｒ２の抽出値に基づいてダブルリーチを生じさせるリーチラインの組合せを選択決定するようにしてもよい。
【０１０７】
ランダムカウンタＲ３は、はずれが事前決定された場合における左図柄表示部９ｂの停止図柄（有効ラインＬ２上に停止表示する図柄）等を決定するために用いられる
【０１０８】さらに、はずれのリーチを発生させることが事前決定される場合には、次のようにリーチ図柄（リーチライン上の左，右図柄で一致する図柄であり、「コイン」の図柄を除く）が決定される。図３に示された複数種類の左図柄のうち、「コイン」を除く図柄をリーチ図柄の選択対象とし、それぞれの図柄にリーチ図柄決定用の数値データが対応付けられている。そして、はずれのリーチを発生させることが事前決定されには、ランダムカウンタＲ３から抽出されたカウンタの値と一致する数値データに対応する図柄がリーチライン上で表示されるリーチ図柄として決定される。シングルリーチの場合は、前述したＲ２により決定されたリーチライン上に表示されるリーチ図柄がＲ３の抽出値に基づいて選択決定される。また、ダブルリーチの場合は、前述した便宜的に有効ラインＬ４の方のリーチライン上に表示されるリーチ図柄がＲ３の抽出値に基づいて選択決定される。前述したように図柄の配列によりＬ４上でリーチが生じる場合には必ずＬ５上でもリーチが生じるため、Ｌ４の方の有効ライン上に表示されるリーチ図柄が決まると、Ｌ５の方の有効ライン上に表示されるリーチ図柄は図柄配列に基づいて決まることとなる。なお、ダブルリーチの場合は、有効ラインＬ４の方のリーチライン上に表示されるリーチ図柄をＲ３の抽出値に基づいて選択決定する方法に限らず、有効ラインＬ５の方のリーチライン上に表示されるリーチ図柄をＲ３の抽出値に基づいて選択決定する方法を用いてダブルリーチのリーチ図柄を決定するようにしてもよい。
【０１０９】このように、左図柄表示部９ｂの停止図柄およびはずれ時のリーチ図柄は、それぞれ表示制御用マイクロコンピュータ８００においてランダムに決定される。
【０１１０】
ランダムカウンタＲ４は、はずれが事前決定された場合における中図柄表示部９ａの停止図柄（有効ラインＬ２上に停止表示する図柄）を決定するために用いられる
【０１１１】
ランダムカウンタＲ５は、はずれが事前決定された場合における右図柄表示部９ｃの停止図柄（有効ラインＬ２上に停止表示する図柄）を決定するために用いられる
【０１１２】これにより、はずれ時の左，中，右図柄表示部９ｂ，９ａ，９ｃの停止図柄は、表示制御用マイクロコンピュータ８００においてランダムに決定される。
【０１１３】
ランダムカウンタＲ６は、大当りが事前決定された場合における大当りライン上に停止表示させる大当り図柄を決定するために用いられる
　
　キ　「【０１２２】図１３は、表示制御用マイクロコンピュータ８００で実行される制御内容決定処理の処理内容を示すフローチャートである。
【０１２３】図１３を参照して、まず、ステップＳ（以下、単にＳという）１により、受信した変動パターンコマンドにより、リーチ変動パターンが指定されているか否かが判断される。
【０１２４】Ｓ１によりリーチ変動パターンが指定されていないと判断された場合は、後述するＳ４に進む。一方、Ｓ１によりリーチ変動パターンが指定されていると判断された場合は、Ｓ２に進み
、リーチライン数決定用のランダムカウンタＲ１からカウンタ値を抽出する処理がなされる
リーチライン数を選択的に決定する処理がなされる
【０１２５】このようにリーチライン数が決定されると、リーチライン数が１本に決定された場合はシングルリーチが発生し、リーチライン数が２本に決定された場合はダブルリーチが発生するように、所定の表示用プログラムの実行によって、決定された本数のリーチラインが可変表示において表示される。
【０１２６】Ｓ４では、受信した表示結果種別指定コマンドにより、大当りの発生が指定されているか否かが判断される。
Ｓ４により大当りの発生が指定されていないと判断された場合は、後述するＳ９に進む
【０１２７】次に、Ｓ７に進み、大当り図柄決定用のランダムカウンタＲ６からカウンタ値を抽出する処理がなされる。そして、Ｓ８に進み、前述した大当り図柄と抽出値との関係に基づいて、Ｓ７により抽出された抽出値に対応する大当り図柄を選択することにより、Ｒ２に基づいて決定された大当りライン上で表示する大当り図柄を選択的に決定する処理がなされる。このように決定された大当りライン上で表示する大当り図柄が決定されると、その決定に応じて、左図柄表示部９ｂ，中図柄表示部９ａ，右図柄表示部９ｃのそれぞれで表示結果として表示される図柄が決まることとなる。このように、大当り図柄が表示制御用マイクロコンピュータ８００でランダムに決定される。Ｓ８の後、この制御内容決定処理が終了する。
【０１２８】また、前述した
Ｓ４により大当りの発生が指定されていないと判断されてＳ９に進んだ場合は
Ｓ９によりシングルリーチとすることが決定されたと判断された場合は
【０１２９】Ｓ１２では、はずれ図柄決定用のランダムカウンタＲ３〜Ｒ５のそれぞれからカウンタ値を抽出する処理がなされる。そして、Ｓ１３に進み、前述したはずれ時の左，中，右図柄とＲ３，Ｒ４，Ｒ５の抽出値との関係に基づいて、Ｓ１２により抽出された抽出値に対応する図柄を選択することにより、はずれ時の停止図柄を次のように選択的に決定する処理がなされる。
【０１３０】
シングルリーチで有効ラインＬ１〜Ｌ３のうちのいずれかがリーチラインとして決定されている場合に
リーチライン上で偶然大当りとなる図柄が選択された場合には選択される中図柄が１図柄分ずらされる
【０１３１】また、
ダブルリーチとなることが決定されている場合に
Ｌ４またはＬ５のいずれかのリーチライン上で偶然大当りとなる場合には選択される中図柄が大当り図柄を構成しないように１図柄分ずらされる
【０１３２】また、
リーチが発生しない場合に
偶然大当りとなる場合には選択される中図柄が大当り図柄を構成しないように１図柄分ずらされる
　　ク　上記記載事項ア〜キ及び図面の図示内容を総合勘案すると、先願明細書等には、次の発明（以下「先願発明」という。）が記載されているものと認める。
　
「複数種類の識別情報を可変表示可能な可変表示部を複数（左図柄表示部９ｂ，中図柄表示部９ａ，右図柄表示部９ｃ）有する可変表示装置（可変表示装置８）を有し、
　始動口スイッチ１７により始動入賞が検出されると、それに応じてこのランダムカウンタのカウント値が抽出され、その後、その抽出値が、予め定められた大当り判定値と一致し、大当り状態の制御が行なわれるか否かの判断がなされ、
　変動パターンコマンドとして、可変表示においてはずれとする決定が行なわれ、かつ、リーチ状態が生じない場合に指定される通常変動パターン（８１００Ｈ）、および、可変表示においてはずれとする決定が行なわれ、かつ、リーチ状態となる決定がされた場合、及び、可変表示において大当りとする決定が行なわれた場合に指定される第１リーチ変動パターン（８１０１Ｈ）〜第３リーチ変動パターン（８１０３Ｈ）から変動パターンを決定し、その決定に従って、遊技制御を実行する遊技制御用マイクロコンピュータ５３を有し、
　遊技制御用マイクロコンピュータ５３から変動開始コマンドとしての変動パターンコマンドを受信すると、
　　変動パターンコマンドによりリーチ変動が指定された場合には、ランダムカウンタＲ１を用いて、リーチラインの本数を選択的に決定し、
　　ランダムカウンタＲ２を用いて、大当り図柄が表示される有効ラインである大当りライン、リーチラインを選択的に決定し、
　上記選択決定された内容と、遊技機制御用マイクロコンピュータ５３からのコマンドとに基づいて、可変表示制御を行なう表示制御用マイクロコンピュータ８００を有し、
　表示制御用マイクロコンピュータ８００は、
　　ランダムカウンタＲ３〜Ｒ５を用いて、はずれが事前決定された場合における左図柄表示部９ｂ，中図柄表示部９ａ，右図柄表示部９ａ、それぞれの停止図柄を選択決定し、
　　ランダムカウンタＲ６を用いて、大当りが事前決定された場合における大当りライン上に停止表示させる大当り図柄を選択決定し、
　大当りの発生が指定されていないと判断され、
　　シングルリーチとすることが決定された場合に、リーチライン上で偶然大当りとなる図柄が選択されるとき、
　　ダブルリーチとなることが決定された場合に、リーチライン上で偶然大当りとなる図柄が選択されるとき、及び、
　　リーチが発生しない場合に、偶然大当りとなる図柄が選択されるときは、
　選択される中図柄が大当り図柄を構成しないように１図柄分ずらす
　遊技機。」
　
４　対比
　先願発明と本願発明とを対比する。
　ア　先願発明の「複数種類の識別情報を可変表示可能な可変表示部を複数（左図柄表示部９ｂ，中図柄表示部９ａ，右図柄表示部９ｃ）有する可変表示装置（可変表示装置８）」は、可変表示装置において、「識別情報」として「図柄」を可変表示させるものであるから、本願発明の「図柄を表示する図柄表示部」に相当する。
　
　イ　先願発明の「始動口スイッチ１７により始動入賞が検出されると、それに応じてこのランダムカウンタのカウント値が抽出され、その後、その抽出値が、予め定められた大当り判定値と一致し、大当り状態の制御が行なわれるか否かの判断がなされ」ることと、本願発明の「始動検出信号を入力することにより、遊技状態を特定遊技状態に移行するか否かを決定する抽選を行う抽選手段」を有することとを対比する。
　先願発明の「始動口スイッチ１７により始動入賞が検出される」こと、「大当り状態」は、それぞれ、本願発明の「始動検出信号を入力すること」、「特定遊技状態」に相当する。
　そして、先願発明の「ランダムカウンタのカウント値が抽出され、その後、その抽出値が、予め定められた」「判定値と一致」する「か否かの判断がなされ」ることは、本願発明の「抽選を行う」ことに相当する。
　したがって、先願発明の「始動口スイッチ１７により始動入賞が検出されると、それに応じてこのランダムカウンタのカウント値が抽出され、その後、その抽出値が、予め定められた大当り判定値と一致し、大当り状態の制御が行なわれるか否かの判断がなされ」ることは、本願発明の「始動検出信号を入力することにより、遊技状態を特定遊技状態に移行するか否かを決定する抽選を行う抽選手段」を有することに相当する。
　
　ウ　先願発明の「変動パターンコマンドとして、可変表示においてはずれとする決定が行なわれ、かつ、リーチ状態が生じない場合に指定される通常変動パターン（８１００Ｈ）、および、可変表示においてはずれとする決定が行なわれ、かつ、リーチ状態となる決定がされた場合、及び、可変表示において大当りとする決定が行なわれた場合に指定される第１リーチ変動パターン（８１０１Ｈ）〜第３リーチ変動パターン（８１０３Ｈ）から変動パターンを決定し、その決定に従って、遊技制御を実行する遊技制御用マイクロコンピュータ５３」と、本願発明の「抽選手段による抽選結果に基づき、図柄表示部に演出表示を行うための図柄の第１変動パターンを指定する主制御基板」とを対比する。
　上記ウにおいて検討したように、先願発明は、可変表示において「大当りとする決定が行なわれ」るか、あるいは、「はずれとする決定が行なわれ」るかに応じて、すなわち、大当り状態の制御が行なわれるか否かの抽選に基づいて、可変表示における変動パターンを決定するものである。
　したがって、先願発明の「遊技制御用マイクロコンピュータ５３」は、本願発明の「主制御基板」に相当する。
　
　エ　先願発明の「遊技制御用マイクロコンピュータ５３から変動パターンコマンドを受信すると、変動パターンコマンドによりリーチ変動が指定された場合には、ランダムカウンタＲ１を用いて、リーチラインの本数を選択的に決定し、ランダムカウンタＲ２を用いて、大当り図柄が表示される有効ラインである大当りライン、リーチラインを選択的に決定」することと、本願発明の「主制御基板から受信した第１変動パターンに基づいて、第２変動パターンの抽選を実行し、変動過程を設定する変動過程抽選設定手段」を有することとを対比する。
　先願発明の「変動パターンコマンド」は、「可変表示における変動パターン」を特定する内容を含むものであることから、先願発明の「遊技制御用マイクロコンピュータ５３から変動パターンコマンドを受信」し、「変動パターンコマンドによ」ることは、本願発明の「主制御基板から受信した第１変動パターンに基づ」くことに相当する。
　そして、先願発明の「変動パターンコマンドによりリーチ変動が指定された場合には、ランダムカウンタＲ１を用いて、リーチラインの本数を選択的に決定し、ランダムカウンタＲ２を用いて、大当り図柄が表示される有効ラインである大当りライン、リーチラインを選択的に決定」することは、ランダムカウンタＲ１、ランダムカウンタＲ２を用いた抽選により、リーチラインの本数、大当りライン、及び、リーチラインといった可変表示の変動内容を決定するものであるから、本願発明の「第２変動パターンの抽選を実行し、変動過程を設定する」ことに相当する。
　したがって、先願発明の「変動パターンコマンドを受信すると、変動パターンコマンドによりリーチ変動が指定された場合には、ランダムカウンタＲ１を用いて、リーチラインの本数を選択的に決定し、ランダムカウンタＲ２を用いて、大当り図柄が表示される有効ラインである大当りライン、リーチラインを選択的に決定」することは、本願発明の「主制御基板から受信した第１変動パターンに基づいて、第２変動パターンの抽選を実行し、変動過程を設定する変動過程抽選設定手段」を有することに相当する。
　
　オ　先願発明の「上記選択決定された内容と、遊技機制御用マイクロコンピュータ５３からのコマンドとに基づいて、可変表示制御を行なう表示制御用マイクロコンピュータ８００」と、本願発明の「変動過程抽選設定手段によって設定された変動過程を用いて図柄表示部に図柄の変動を表示させる遊技図柄提供手段」を有することとを対比する。
　先願発明の「上記選択決定された内容」「に基づ」くことは、上記エにおいて検討したように、本願発明の「変動過程抽選設定手段によって設定された変動過程を用い」ることに相当する。
　そして、先願発明の「可変表示制御を行なう」ことは、本願発明における「図柄表示部に図柄の変動を表示させる」ことに相当する。
　したがって、先願発明の「表示制御用マイクロコンピュータ８００」は、本願発明の「遊技図柄提供手段」に相当する。
　
　カ　先願発明の「表示制御用マイクロコンピュータ８００は、ランダムカウンタＲ３〜Ｒ５を用いて、はずれが事前決定された場合における左図柄表示部９ｂ，中図柄表示部９ａ，右図柄表示部９ａに、それぞれの停止図柄を選択決定し、ランダムカウンタＲ６を用いて、大当りが事前決定された場合における大当りライン上に停止表示させる大当り図柄を選択決定」することと、本願発明の「変動過程による演出表示後に抽選結果を示す停止図柄を、抽選によって決定する停止図柄抽選手段」を有することとを対比する。
　
　まず、本願発明の「停止図柄抽選手段」に関して、当審による平成２７年３月２４日付け拒絶理由通知において、記載不備についての拒絶理由を指摘したが、平成２７年４月１５日に提出された手続補正書において、指摘された記載不備に関しての補正はなされなかった。そこで、本願発明の「停止図柄抽選手段」について、その内容を検討する。本願発明の「停止図柄抽選手段」に関する特定事項は、平成２４年４月２４日に提出された手続補正書により付加されたものである。そして、平成２４年４月２４日に提出された手続補正書には、停止図柄抽選手段に関して、明細書に「この遊技機では、遊技球の始動入賞装置への入賞により指令制御手段の側で変動パターンが抽選されても、表示制御手段の側では、この第１変動パターンに代えて第２変動パターンを表示している。また、第２変動パターンによる
演出表示後に、抽選結果を示す図柄として表示される停止図柄
　上記記載からみて、「演出表示後に抽選結果を示す停止図柄」は、「演出表示後に抽選結果を示す
図柄として表示される
　
　そして、先願発明の「停止図柄」は、事前決定の結果が「はずれ」であるのか、「大当り」であるのかを示すものであり、また、変動表示がなされた後に表示されるものであることは当業者にとって自明である。
　また、先願発明の「ランダムカウンタＲ３〜Ｒ５を用いて、」「選択決定し、ランダムカウンタＲ６を用いて、」「選択決定」することは、本願発明の「抽選によって決定する」ことに相当する。
　
　したがって、先願発明の「表示制御用マイクロコンピュータ８００」は、本願発明の「停止図柄抽選手段」を含むものである。
　
　キ　先願発明の「大当りの発生が指定されていないと判断され、シングルリーチとすることが決定された場合に、リーチライン上で偶然大当りとなる図柄が選択されるとき、ダブルリーチとなることが決定された場合に、リーチライン上で偶然大当りとなる図柄が選択されるとき、及び、リーチが発生しない場合に、偶然大当りとなる図柄が選択されるときは、選択される中図柄が大当り図柄を構成しないように１図柄分ずらす」ことと、本願発明の「第１変動パターンが特定遊技状態に移行しない変動パターンであるにもかかわらず、特定遊技状態に移行する停止図柄を抽選している場合、停止図柄を外れに変更する停止図柄変更手段」を有することとを対比する。
　先願発明の「大当りの発生が指定されていないと判断され」た場合、「偶然大当りとなる図柄が選択されるとき」、「選択される中図柄が大当り図柄を構成しないように１図柄分ずらす」ことは、それぞれ、本願発明の「第１変動パターンが特定遊技状態に移行しない変動パターンである」場合、「特定遊技状態に移行する停止図柄を抽選している場合」、「停止図柄を外れに変更する」ことに相当する。
　したがって、先願発明の「大当りの発生が指定されていないと判断され、シングルリーチとすることが決定された場合に、リーチライン上で偶然大当りとなる図柄が選択されるとき、ダブルリーチとなることが決定された場合に、リーチライン上で偶然大当りとなる図柄が選択されるとき、及び、リーチが発生しない場合に、偶然大当りとなる図柄が選択されるときは、選択される中図柄が大当り図柄を構成しないように１図柄分ずらす」ことは、本願発明の「第１変動パターンが特定遊技状態に移行しない変動パターンであるにもかかわらず、特定遊技状態に移行する停止図柄を抽選している場合、停止図柄を外れに変更する停止図柄変更手段」を有することに相当する。
　
　ク　上記ア〜キより、本願発明と先願発明とは、「図柄を表示する図柄表示部と、
　始動検出信号を入力することにより、遊技状態を特定遊技状態に移行するか否かを決定する抽選を行う抽選手段と、
　前記抽選手段による抽選結果に基づき、前記図柄表示部に演出表示を行うための図柄の第１変動パターンを指定する主制御基板と、
　前記主制御基板から受信した前記第１変動パターンに基づいて、第２変動パターンの抽選を実行し、変動過程を設定する変動過程抽選設定手段と、
　前記変動過程抽選設定手段によって設定された変動過程を用いて前記図柄表示部に図柄の変動を表示させる遊技図柄提供手段と、
　を備え、
　前記遊技図柄提供手段は、
　　前記変動過程による演出表示後に前記抽選結果を示す停止図柄を、抽選によって決定する停止図柄抽選手段と、
　　前記第１変動パターンが前記特定遊技状態に移行しない変動パターンであるにもかかわらず、前記特定遊技状態に移行する前記停止図柄を抽選している場合、前記停止図柄を外れに変更する停止図柄変更手段と、
　を備える遊技機。」である点で一致し、両者の間に相違点は存在しない。
　
　したがって、本願発明は、先願発明と同一であり、しかも、本願発明の発明者が先願発明の発明者と同一の者であるとも、また、本願の出願の時にその出願人が上記先願の出願人と同一の者であるとも認められないので、本願発明は、特許法第２９条の２の規定により、特許を受けることができない。
　
　
　なお、請求人は、平成２７年４月１５日に提出された意見書において、「先願１には、遊技制御手段と表示制御手段とが記載され、表示制御手段では、遊技制御手段からコマンドを受信すると、独自にリーチライン数を決める等の制御を行っていますが、本願発明のように、主基板と、遊技図柄提供手段側とで変動パターンを抽選する制御は行っていません。」（第２頁第２〜５行）と主張する。
　しかしながら、先願発明は、上記において検討したように、遊技制御用マイクロコンピュータ５３側で変動パターンを抽選により決定すると共に、表示制御用マイクロコンピュータ８００側でもリーチラインの本数及び大当りラインを抽選により決定するものである。
　ゆえに、請求人の上記主張は採用できない。
　
５　むすび
　以上のとおりであるから、本願は拒絶すべきものである。
　
　よって、結論のとおり審決する。